(57)【要約】【課題】内視鏡画像の他、患者データを表示する際においても、見易く、操作性および使い勝手が良い電子内視鏡装置を提供する。【解決手段】患者情報を階層構造のデータとして記憶するメモリ１１３と、このメモリ１１３における別の階層に記憶されている異なる種別の患者情報を別画面の表示画面として、内視鏡画像を表示するモニタ１０３に表示するための表示信号を生成する表示コントローラ１１９と、前記モニタに別画面として表示される前記異なる種別の患者情報間を遷移可能に操作するキーボード１０４における一の切替キーと、切替キーの操作に応じて、前記モニタにおいて異なる種別の患者情報が遷移して表示されるよう制御するＣＰＵ１１２とを具備する。【選択図】図２４
2006198426.tif 000002
【特許請求の範囲】
【請求項１】
電子内視鏡が接続される電子内視鏡制御装置において、
前記電子内視鏡において撮像した内視鏡画像を表示するモニタに対して出力するための内視鏡画像信号を生成する内視鏡画像信号生成部と、
所定の患者情報を階層構造のデータとして記憶する患者情報記憶部と、
前記患者情報記憶部における別の階層に記憶されている異なる種別の患者情報を別画面の表示画面として前記モニタに表示するための表示信号を生成する患者情報表示信号生成手段と、
前記モニタに別画面として表示される前記異なる種別の患者情報間を遷移可能に操作する一の遷移操作キーと、
前記遷移操作キーの操作に応じて、前記モニタにおいて異なる種別の患者情報が遷移して表示されるよう前記患者情報表示信号生成手段を制御する表示制御手段と、
を具備したことを特徴とする電子内視鏡制御装置。
【発明の詳細な説明】
【技術分野】
【０００１】
本発明は、電子内視鏡制御装置に関し、特に、内視鏡画像の他、患者データ等を表示可能なモニタを接続可能とする電子内視鏡制御装置に関する。
【背景技術】
【０００２】
従来、電子内視鏡装置において、モニタの画面上に内視鏡画像のみならず患者データ等を表示する電子内視鏡装置が知られている。そして、この患者データをキーボード等の入力装置を介して入力する際にはこのモニタが用いられる。
【発明の開示】
【発明が解決しようとする課題】
【０００３】
このため、電子内視鏡装置のモニタには見易さが要求されるともに、キーボードと合わせた操作性や使い勝手の良さが望まれていた。
【課題を解決するための手段】
【０００４】
本発明の電子内視鏡制御装置は、電子内視鏡が接続される電子内視鏡制御装置において、前記電子内視鏡において撮像した内視鏡画像を表示するモニタに対して出力するための内視鏡画像信号を生成する内視鏡画像信号生成部と、所定の患者情報を階層構造のデータとして記憶する患者情報記憶部と、前記患者情報記憶部における別の階層に記憶されている異なる種別の患者情報を別画面の表示画面として前記モニタに表示するための表示信号を生成する患者情報表示信号生成手段と、前記モニタに別画面として表示される前記異なる種別の患者情報間を遷移可能に操作する一の遷移操作キーと、 前記遷移操作キーの操作に応じて、前記モニタにおいて異なる種別の患者情報が遷移して表示されるよう前記患者情報表示信号生成手段を制御する表示制御手段と、を具備したことを特徴とする。
【発明の効果】
【０００５】
本発明によれば、内視鏡画像の他、患者データを表示する際においても、見易く、操作性および使い勝手が良い電子内視鏡装置を提供することができる。
【発明を実施するための最良の形態】
【０００６】
以下、図面を参照して本発明の実施の形態を説明する。
【０００７】
図１ないし図７は本発明の第１の実施形態を説明するための図である。図１は、電子内視鏡装置の構成を説明するための構成図である。図２は、電子内視鏡の構成を示す説明するための図である。図３は、内視鏡装置本体内の構成を説明するためのブロック構成図である。図４は、内視鏡装置本体内に設けたランプ近傍を冷却するランプと冷却流路との位置関係を説明するための図である。図５は、温度検出動作部の切替えスイッチの動作を説明するための図である。図６は、内視鏡観察画像の１例を示す図である。図７は、告知状態の内視鏡観察画像を示す図である。
【０００８】
図１に示すように本実施形態の電子内視鏡装置は、観察のため患者の体腔内に挿入される挿入部１１にＣＣＤ等の固体撮像素子（以下ＣＣＤとして記載する）を内蔵した電子内視鏡（以下内視鏡と略記する）１と、内視鏡装置本体２と、キーボード３とにより主に構成されている。本体２は、挿入部１１に内蔵されているＣＣＤから伝送される撮像信号を映像信号に変換する処理、観察画像や各種データをモニタ（図示せず）などへ表示させる処理等を行なうプロセッサ部と、内視鏡１に照明光を供給するための後述するランプを内蔵した光源部とを、例えば装置筐体内に有している。キーボード３は、この内視鏡装置本体２に接続され、患者データや観察データ等の文字や数字の入力を行うためのものである。
【０００９】
図１及び図２に示すように内視鏡１は、細長の挿入部１１と、この挿入部１１の基端部に連設された操作部１２と、この操作部１２の側部から延出するユニバーサルコード１３とで構成されている。
【００１０】
前記挿入部１１は、先端側から順に硬性な先端構成部１４、湾曲自在な湾曲部１５、柔軟性を有する可撓管部１６を連設して形成されている。前記操作部１２には前記湾曲部１５を湾曲操作するための湾曲操作ノブ１７が設けられている。前記ユニバーサルコード１３の基端部には前記内視鏡装置本体２の装置コネクタ２ａに着脱自在に接続される照射光を伝送する照明コネクタ１８ａ、電気信号の入出力を行う信号コネクタ１８ｂを備えた内視鏡コネクタ１８が設けられている。
【００１１】
前記挿入部１１の先端構成部１４内には観察部の被写体の光学像を撮像信号に光電変換するＣＣＤ１９が配置されている。前記挿入部１１、操作部１２及びユニバーサルコード１３内には前記ＣＣＤ１９から前記内視鏡コネクタ１８の信号コネクタ１８ｂに延出する信号ケーブル２０が挿通している。また、前記挿入部１１、操作部１２及びユニバーサルコード１３内には前記内視鏡装置本体２のランプから発する出射光を患者体腔内へ向けて照射する照明光として導くライトガイド２１が挿通している。
【００１２】
図３に示すように前記内視鏡装置本体２には前記ライトガイド２１に照明光を供給するランプ２２等を設けた光源部２３と、前記ＣＣＤ１９から伝送される撮像信号に基づいて映像信号を生成する処理、観察画像や各種データをモニタへ表示させるための各種制御、等を行うプロセッサ部３０とが設けられている。
【００１３】
また、前記内視鏡装置本体２の装置コネクタ２ａには前記光源部２３及びプロセッサ部３０にそれぞれ対応する照明光用コネクタ２ｂと電気信号用コネクタ２ｃとが設けられている。
【００１４】
前記光源部２３は、主に照明光を発生するランプ２２と、このランプ２２に電源を供給する電力供給手段であるランプ用電源部２４と、集光レンズ２５と、冷却用ファン２６と、温度検出動作部２７とで構成されている。集光レンズ２５は、前記装置コネクタ２ａの照明光用コネクタ２ｂに接続される内視鏡コネクタ１８の照明コネクタ１８ａの端面に前記ランプ２２からの出射光を集光させるものである。冷却用ファン２６は、前記ランプ２２から発する熱を装置筐体外部に排出させて、このランプ２２やランプ近傍の温度が上昇することを防止するためのものである。温度検出動作部２７は、ランプ２２近傍に配置される条件検出手段であって、ランプ若しくはランプ近傍の温度が所定の温度以上になったことを検出したとき所定のスイッチング動作を行う温度検出手段である。
【００１５】
図４に示すように前記内視鏡装置本体２には冷却のための空気を取り込む吸引口２８ａと、前記冷却用ファン２６を配置してランプ近傍の熱せられた空気を外部に排出する排気口２８ｂとを設けて構成した冷却流路２８が形成されている。
【００１６】
図５に示すように、前記温度検出動作部２７に設けられている切替えスイッチ２７ａは、ランプ近傍の温度が所定温度以下の場合（以下通常温度状態と記載する）には実線に示すように短絡状態であり、ランプ近傍の温度が所定温度以上になった状態（以下、この状態を異常温度状態と記載する）を検知したとき破線に示す開放状態にするスイッチング動作を行って検知信号をＣＰＵ３１に出力する。つまり、図５に示すように通常温度状態では前記ＣＰＵに“Ｌ”信号を出力し、異常温度状態のとき“Ｈ”信号を出力する回路構成になっている。
【００１７】
一方、前記プロセッサ部３０は、ＣＰＵ３１と、信号処理部３２と、告知手段である警報告知部３３とで構成されている。ＣＰＵ３１は、主に前記ランプ２２の点灯制御等や前記キーボード３から入力された患者データ、日時、管理番号等のデータを保持する。信号処理部３２は、前記内視鏡コネクタ１８が接続される装置コネクタ２ａの電気信号用コネクタ２ｃに接続され、前記ＣＣＤ１９への電源や駆動パルスの供給、前記ＣＣＤ１９から出力された撮像信号を受けて映像信号に処理して表示装置への出力、前記キーボード３から入力された日時、管理番号等の表示装置の画面上への表示等の処理を行なう。警報告知部３３は、前記温度検出動作部２７で異常温度状態を検出したとき、前記ＣＰＵ３１を通して異常温度状態であることを使用者に告知する告知手段である。
【００１８】
上述のように構成した内視鏡装置本体２の作用を説明する。
【００１９】
内視鏡装置本体２のランプ２２が点灯されると、このランプ２２からの出射光が集光レンズ２５を通過して照明光用コネクタ２ｂに接続されている照明コネクタ１８ａの端面に集光されるとともに、冷却用ファン２６が回転を始める。
【００２０】
前記照明コネクタ１８ａに集光された光は、ライトガイド２１によって伝送されて挿入部１１の先端構成部１４から前方に向かって照明光として照射されていく。
【００２１】
前記ランプ２２が点灯状態を続けることにより、このランプ２２の温度が上昇するとともにランプ近傍の温度が上昇していく。このとき、前記ランプ２２が吸引口２８ａ，排気口２８ｂを備えた冷却流路２８中に配置されているので、前記冷却用ファン２６によってランプ近傍の加熱された空気が排気口２８ｂから外部に排気されるとともに、吸引口２８ａからランプ近傍に外気が流入してランプ近傍の冷却が行われる。このことにより、内視鏡装置本体２内の温度が筐体内に備えられている電子回路に不具合や故障を来す温度に上昇させることなく、通常温度状態に保たれる。
【００２２】
このとき、前記温度検出動作部２７では、ランプ近傍が通常温度状態に保たれているので切替えスイッチ２７ａを短絡状態にして、前記ＣＰＵ３１へ信号“Ｌ”を出力する。ＣＰＵ３１では信号“Ｌ”が入力されているので、警報告知部３３側へ告知を促す制御信号を出力しない。
【００２３】
照明光によって照らされた体腔内の観察像は、前記信号処理部３２から供給されている電源や駆動パルスで駆動されるＣＣＤ１９の撮像面に結像して撮像信号へ光電変換される。この撮像信号は、信号ケーブル２０、信号コネクタ１８ｂ、電気信号用コネクタ２ｃを介して信号処理部３２に入力される。
【００２４】
前記ＣＣＤ１９から信号処理部３２に入力された撮像信号は、相関二重サンプリング等のノイズ低減処理、ゲインコントロール等の処理が行われ、ＣＰＵ３１に保持されているデータと共に外部機器であるモニタに映像信号として出力される。このことにより、図６に示すように表示装置の画面４０上に内視鏡観察画像が表示される。
【００２５】
内視鏡観察中、何らかの原因で前記吸引口２８ａ又は排気口２８ｂ或いは冷却流路２８の中途部が塞がれてしまった場合や冷却用ファン２６が正常な動作を行わなくなってしまった場合、冷却が不十分になってランプ近傍の温度が上昇する。
【００２６】
そして、ランプ若しくはランプ近傍の温度が所定温度以上になった場合、温度検出動作部２７が異常温度状態に反応し、すなわち異常温度状態を検出し、前記切替えスイッチ２７ａを短絡状態から開放状態に切り換える。このことによって、前記温度検出動作部２７からＣＰＵ３１に向けて出力されていた信号が“Ｌ”信号から“Ｈ”信号に変化する。
【００２７】
この“Ｈ”信号を受けたＣＰＵ３１では、温度上昇を防止するためランプ用電源部２４を制御してランプ２２への電源の供給を停止させてランプ２２を消灯するとともに、警報告知部３３に向けて告知を促すための制御信号を出力する。このことにより、警報告知部３３では装置筐体内が異常温度状態になったことによってランプ２２が消灯していることを術者へ知らせる告知動作を行う。
【００２８】
即ち、前記ＣＰＵ３１は、前記ランプ２２を消灯させる制御と同時に、前記警報告知部３３に告知動作を行わせて、図７に示すように内視鏡観察画像上に異常温度状態になったことによってランプが消灯していることを術者等に知らせる所定のメッセージ或いはマークや記号（図示せず）などをメッセージ表示部４１に表示させて、異常が発生していることを術者に告知する。なお、告知方法としてはメッセージ、マーク或いは記号に加えてブザー等で所定の音を発生させて術者に報知するようにしてもよい。その場合は、警報告知部３３に発音制御手段が設けられる。
【００２９】
そして、ランプ２２が消灯されたことによって、熱発生源がなくなるのでランプ２２及びランプ近傍の温度が徐々に下がって電子回路の故障等の発生が回避される。
【００３０】
このように、内視鏡装置本体内の発熱源であるランプ近傍に、ランプ若しくはランプ近傍の温度が所定温度以上であるか否かを検出する温度検出動作部を設けるとともに、異常温度状態を検出したとき術者に以上温度状態であることを告知する警報告知部を設けた。従って、万一内視鏡装置本体内の冷却に不具合が生じてランプ及びランプ近傍の温度が所定温度以上になったとき、温度検出動作部からＣＰＵに検知信号が出力されて、ランプを消灯させて更なる温度上昇を防止する一方、ランプが消灯した原因を術者に速やかに告知することができる。
【００３１】
このことにより、告知を受けた術者は、冷却の不具合をなくす対処を行って、速やかに検査の続行が可能になる。
【００３２】
なお、本実施形態においてはＣＰＵ３１が温度検出動作部２７の発する“Ｈ”信号を受けた際、ランプ２２を消灯させる制御を行うと同時に、警報告知部３３から告知動作を行わせるようにしているが、ＣＰＵ３１が温度検出動作部２７の発する“Ｈ”信号を受けた際、まず警報告知部３３に告知動作を行わせ、その後、ランプの光量を観察に支障のない程度に減光制御したり、電子回路等に不具合が発生するおそれのない一定時間後までランプ２２を点灯させるように、予めＣＰＵ３１に対処用プログラムを記憶させておくようにしてもよい。このことにより、術者は装置筐体内が異常温度状態になった場合、ランプが消灯する前に内視鏡観察画像を見ながら内視鏡挿入部１１を速やかに体腔内から抜去し、その後ゆとりを持って冷却不具合の対処をとれる。
【００３３】
次に、第一の実施の形態に係わる内視鏡システムのプロセッサ部について、さらに詳細な回路ブロック図により説明する。
【００３４】
まず、図８に内視鏡システム全体の構成を示すブロック図を示す。
【００３５】
内視鏡２０１は、先端に取り付けられた図示しないＣＣＤより撮影される被検体の内視鏡画像（映像信号）を、映像信号ケーブル２０２を介して各種の映像信号処理やシステムの制御を行なうプロセッサ２０４へ出力する。内視鏡２０１とプロセッサ２０４とはスコープコネクタ２３１により接続される。
【００３６】
プロセッサ２０４は、ＣＰＵ２０７、メモリ２０９、アドレスバス／データバス（図示せず）、メモリアドレスコーダ２０８ａ、Ｉ／Ｏアドレスコーダ２０８ｂ、Ｉ／Ｏポート（ＰＩＯ）２２３、文字描画を行う表示コントローラ２０６、キーボードの制御を行なうキーボードコントローラ（ＫＢＣ）２１２、光源部２１０、内視鏡スコープ２０１より得られた映像信号に対してアナログ／デジタル変換、色補正、輪郭強調、ホワイトバランスの処理等を行なう映像信号処理部２０５、操作パネル２１３、各種記録機器との接続に使用するリモートコネクタ２２９、モニタを接続する際に使用する映像信号出力コネクタ２２９ｂ、キーボードを接続する際に使用するキーボードコネクタ２２９ａ等を有する。これらのコネクタには、それぞれ、内視鏡画像データを記録する各種記録機器２１４、内視鏡画像を表示するモニタ２１６、各種データ入力やシステム制御を行なうキーボード２１５、が接続される。
【００３７】
光源部２１０は、観察部位に対して、観察の際に必要な照明光を供給するためのものであり、ランプ２２７と、ランプ用電源部２２８と、ランプ冷却用のファン２３０と、いくつかのランプ異常検出手段とを有する。光源部２１０から照射されたランプ光２２１は、集光レンズ２１７を通過することによりスコープコネクタ２３１内の光路穴２３７へ集光され、ライトガイド２０３を介して内視鏡２０１の先端部へ到達する。光源部２１０はＣＰＵにより制御される。
【００３８】
また、映像信号処理部２０５にて各種の映像信号処理を施された内視鏡画像は、一旦表示コントローラ２０６へ入力される。ここで、表示コントローラ２０６は、内視鏡画像に患者データ、日時、もしくは各種メッセージ等を重畳させた後、映像信号出力コネクタを介してモニタ２１６や記録機器２１４へ出力される。表示コントローラ２０６はＣＰＵ２０７により制御される。
【００３９】
ランプの点灯制御を行なう場合は、光源部２１０に異常が発生した場合を想定して対策を講じておく必要がある。ランプ温度異常（過発熱）が発生した場合の対策について、図９により説明する。図９は、図８中の光源部２１０の具体的な構成を示す図である。
【００４０】
ランプ２２７の点灯／消灯制御信号を含むシリアル信号が、ＣＰＵ２０７よりシリアル／パラレル変換器（以下、ＳＰＣともいう）２１８へ出力される。シリアル／パラレル変換器（ＳＰＣ）２１８において、シリアル信号がパラレル信号に変換された後、ランプ点灯制御信号２１９がランプ用電源部２２８へ出力されてランプ２２７の点灯／消灯を制御する。ランプ２２７の点灯時には、ランプ光は集光レンズ２１７を透過することによりスコープコネクタ３１の光路穴３７に集光され、ライトガイド３を介して内視鏡２０１の先端から出射される。ランプ２２７及びその周囲の温度が異常に高くなることを防ぐため、ランプ２２７はランプ冷却ファン２３０により冷却される。
【００４１】
しかし、ランプ冷却ファン２３０の故障や、ランプ冷却ファン２３０の冷却能力を上回る異常な温度上昇が発生した場合、ランプ２２７のフィラメントの溶断やランプ周囲の回路等が破損するおそれがある。
【００４２】
そこで、ランプ２２７の近傍にランプ温度検出部２２４を設け、ランプ２２７点灯時のランプ２２７及びその周囲の温度を常に監視し、ランプ２７の温度が既定値を越えた場合は、ランプ温度エラー信号２２０ａをＰＩＯ２２３へ出力する。このランプ温度エラー情報はＣＰＵ２０７へ到達する。ＣＰＵ２０７がランプ温度エラーを検知すると、表示コントローラ２０６を介して、ユーザに対して直ちにランプ温度エラー発生の警告メッセージをモニタ２１６上に表示する。異常発生をモニタ１６より視覚的に訴えることにより、ユーザはシステムの異常を速やかに察知し、迅速に対応することができる。
【００４３】
ランプ温度異常が発生した場合、フィラメントの溶断や回路破損のおそれがあるため、直ちにシステムの使用を中断し、電源を切ることが望ましい。従って、ランプ温度異常発生時には、操作パネル２１３の操作（例えばポンプのオン／オフ、調光モードの切替等）を行っても、ＰＩＯ２２３を介してＣＰＵ２０７へ伝送される操作パネル情報をＣＰＵ２０７側で無視することにより、ユーザに対して即時のシステムの使用の中断を促すようにしてもよい。更に、ランプ温度異常発生から一定時間後（例えば６０秒後）に、強制的にランプ２２７を消灯させることにより、フィラメントの溶断や回路破損を確実に防止するようにしてもよい。
【００４４】
但し、ここでランプ温度エラー信号２２０ａをＣＰＵ２０７へ伝送する際にＰＩＯ２２３を介し（パラレル信号を使用）、ランプ点灯制御信号２１９をランプ用電源部２２８へ伝達する際にＳＰＣ２１８を介した（シリアル信号を使用）が、ランプ温度エラー信号２２０ａの伝達にシリアル信号、ランプ点灯制御信号２１９の伝達にパラレル信号を用いても良く、双方共にシリアル信号でも良く、双方共にパラレル信号でも良い。
【００４５】
また、ランプ温度異常発生時の警告手段としては、モニタ２１６上にメッセージを表示するだけでなく、操作パネル等に警告用のＬＥＤを設けて視覚的に警告を行ってもよく、ブザーによる視覚的な警告手段を用いてもよく、またこれらの組み合わせでもよい。
【００４６】
図１０はランプ温度異常発生時のＣＰＵの処理を示すフローチャートである。
【００４７】
電源投入後、まず、ランプ温度検出部２２４からＰＩＯ２２３へ、ランプ温度エラー信号２２０ａとして”Ｌ”が出力される。これは、ランプ温度エラー信号２２０ａが正論理であるため、電源投入直後にこれをまず”Ｌ”とすることで、ランプ温度異常検出動作をリセットする必要があるからである。ランプ温度エラー信号２２０ａを”Ｌ”としてから、ランプ温度検出部２２４にてランプ温度の検出が開始される。ランプ温度検出の結果、ランプ温度が所定値以下（すなわち適性温度範囲内）であれば、ランプ温度エラー信号２２０ａとして”Ｌ”が出力される。その後も、ランプ温度の検出が行なわれる。従って、ランプ温度異常が発生しなければ、常時継続的にランプ温度検出を行い続けることになる。
【００４８】
一方、ランプ温度が所定以上（すなわちランプ温度異常発生）になった場合、ランプ温度検出部２２４からＰＩＯ２２３へ、ランプ温度エラー信号２２０ａとして”Ｈ”信号が出力される。この“Ｈ”信号がＣＰＵ２０７に供給されると、ステップ（以下、Ｓと略す）１０１でＹＥＳとなって、ＣＰＵ２０７は表示コントローラ２０６を介して、「ランプ温度異常発生」のメッセージをモニタ２１６に表示する（Ｓ１０２）。ランプ温度異常が発生した場合、操作パネル１３の操作をＣＰＵ２０７に伝達するために割り当てられたＰＩＯ２２３のポートを無効化する（Ｓ１０３）。更に、ランプ異常発生から６０秒後、ＣＰＵ２０７はランプ用電源部２２８を強制的にＯＦＦし（Ｓ１０４）、ランプ２７を消灯させる。これにより、異常過熱状態のランプ２７の温度が下降し、フィラメントの溶断や回路破損等を回避できる。
【００４９】
なお、電源投入後、ランプ温度検出部からの温度信号を、アナログ・デジタル変換してＣＰＵ２０７へ供給し、ＣＰＵ２０７の方で温度が所定値を超えたか否かを検出するようにしてもよい。
【００５０】
次に第二の実施の形態について説明する。図１１ないし図１３は本発明の第２実施形態を説明するための図である。図１１は、内視鏡装置本体内の構成を説明するためのブロック構成図である。図１２は、ランプのタングステンが溶断した状態を説明するための図である。図１３はランプのタングステンに溶着部が形成された状態を説明するための図である。
【００５１】
図に示すように本実施形態の内視鏡装置本体２Ａの光源部２３ａにおいては、ランプ２２近傍に設けた第１実施形態の温度検出動作部２７の代わりに、条件検出手段として、電力検出手段である電源検出動作部５１を設けている。
【００５２】
この電源検出動作部５１は、ランプ用電源部２４からランプ２２に供給される電圧及び電流が所定の電圧値又は電流値以下になった状態（以下、このような状態をランプ異常時と記載する）を検知したとき、前記温度検出動作部２７と同様にこの電源検出動作部５１の図示しない切替えスイッチを動作させてＣＰＵ３１に検知信号を出力する。つまり、この電源検出動作部５１についても、ランプ正常時には前記ＣＰＵ３１に“Ｌ”信号を出力し、ランプ異常時には“Ｈ”信号を出力する回路構成である。その他の構成は前記第１実施形態と同様であり、同部材には同符合を付して説明を省略する。
【００５３】
上述のように構成した内視鏡装置本体２Ａの作用を説明する。
【００５４】
内視鏡装置本体２Ａのランプ２２に電源が供給されると、電源検出動作部５１ではランプ２２の状態を検出し、ランプ異常時でないことを検知した際にはＣＰＵ３１に“Ｌ”信号を出力する。このことにより、ＣＰＵ３１は、ランプ用電源部２４を制御してランプ２２を点灯させる。
【００５５】
すると、このランプ２２からの出射光が集光レンズ２５を通過して照明光用コネクタ２ｂに接続されている照明コネクタ１８ａの端面に集光されライトガイド２１を伝送されて挿入部１１の先端構成部１４から前方に向かって照明光として照射される。
【００５６】
しかし、前記ランプ２２には点灯可能な時間の制限、すなわちランプ寿命が存在する。したがって、ランプ２２を点灯させて観察を続けると、いつか必ず前記ランプ２２は寿命を迎える。
【００５７】
前記ランプ２２がハロゲンランプの場合、図９に示すようにランプ２２が寿命を迎えるとタングステン５２が溶断して開放状態になって電流が流れなくなることにより点灯しなくなるか、図１０に示すように前記タングステン５２が一旦溶断した後、溶着部５３を形成する。このとき、タングステン５２の抵抗値が下がることにより、ランプ２２の印加電圧が適正な値より低くなり、ランプ２２の光量が低下する。
【００５８】
つまり、前記タングステン５２が溶断或いは溶着部５３を形成することにより、前記ランプ２２の印加電流低下又は印加電圧低下が生じると、前記電源検出動作部５１ではランプ異常を検知し、ＣＰＵ３１に出力する信号を“Ｌ”信号からランプ異常時の信号である“Ｈ”信号に切り替える。
【００５９】
このことにより、“Ｈ”信号を受けたＣＰＵ３１では警報告知部３３に告知を促す制御信号を出力する。このことにより、警報告知部３３ではランプ異常時であることによってランプ２２が消灯又は光量低下していることを術者へ知らせる告知動作を行う。
【００６０】
即ち、前記ＣＰＵ３１は、前記ランプ２２を消灯させる制御と同時に、前記警報告知部３３に告知動作を行わせて、図７に示すように内視鏡観察画像上にランプ異常時であることによってランプ２２が消灯又は光量低下していることを術者等に知らせる所定のメッセージ、あるいはマーク、記号（図示せず）等をメッセージ表示部４１に表示させて、異常が発生していることを術者に告知する。なお、告知方法としてはメッセージ、マーク或いは記号に加えてブザー等で所定の音を発生させて術者に報知するようにしてもよい。その場合は、警報告知部３３に発音制御手段が設けられる。
【００６１】
このように、内視鏡装置本体内にランプの異常を検出する電源検出動作部を設けるとともに、ランプ異常を術者に告知する警報告知部を設けたことにより、万一ランプに異常が発生してランプが消灯或いは光量低下した場合に、その原因を術者に速やかに告知することができる。
【００６２】
このことにより、告知を受けた術者は、ランプ交換の対処を行って、速やかに検査の続行が可能になる。
【００６３】
次に、第二の実施の形態に係わる内視鏡システムの光源部について、さらに詳細に説明する。図１４は、第二の実施の形態に係わる内視鏡システムの光源部の具体的な構成を示す図である。その他の構成は前記第１の実施の形態と同様であり、図８及び図９に示された要素と同じ要素には同符合を付して説明を省略する。
【００６４】
ランプ電流異常もしくはランプ電圧異常が発生した場合の対策について図１４により説明する。図１４は、図８中の光源部２１０の具体的な構成である。尚、第１実施例と同一の構成は同一の符号を付し、詳細な説明は省略する。
【００６５】
ランプ２２７は、寿命等によりフィラメントが溶断することがある。また、フィラメントは溶断直後に溶着する場合もある。前者の場合、フィラメントに電流が全く流れないため、ランプ２２７は点灯せず（電流異常）、後者の場合、電流は流れるがフィラメントの抵抗値が低下するため、ランプ電圧が低下し、十分なランプ光量が得られない（電圧異常）。従って、電流異常の場合も電圧異常の場合も共に、適正な観察を行うことができなくなるため、これを術者であるユーザに告知する必要がある。
【００６６】
そこで、ランプ２２７の電流、及び電圧を常時監視する。すなわち、電流異常発生時には、ランプ電流検出部２２６にてこれを検出し、ランプ電流エラー信号２２０ｃをＰＩＯ２２３へ出力する。更に、電圧異常発生時には、ランプ電圧検出部２２５にてこれを検出し、ランプ電圧エラー信号２２０ｂをＰＩＯ２２３へ出力する。ＰＩＯ２２３からこれらのランプエラー情報を受け取ったＣＰＵ２０７は、表示コントローラ２０６を介して、ユーザに対して直ちにランプ電流／電圧をエラー発生の警告メッセージをモニタ２１６上に表示する。異常発生をモニタ２１６より視覚的に訴えることにより、ユーザはシステムの異常を速やかに察知し、ランプ交換等の適正な処置を行うことができる。
【００６７】
但し、ランプ電流／電圧異常発生時の警告手段としては、モニタ２１６上にメッセージを表示するだけでなく、操作パネル等に警告用のＬＥＤを設けて視覚的に警告を行ってもよく、ブザーによる視覚的な警告手段を用いてもよく、またこれらの組み合わせでもよい。
【００６８】
図１５は、ランプ電流／電圧異常発生時のＣＰＵの処理のフローチャートである。
【００６９】
電源投入後、ランプ電流検出部２２６からＰＩＯ２２３へ、ランプ電流エラー信号２２０ｃとして”Ｌ”信号が出力され、更に、ランプ電圧検出部２２５からＰＩＯ２２３へ、ランプ電圧エラー信号２２０ｂとして”Ｌ”信号が出力される。これは、ランプ電流エラー信号２２０ｃ、ランプ電圧エラー信号２２０ｂが共に正論理であるため、電源投入直後にこれらをまず”Ｌ”とすることで、ランプ電流／電圧異常検出動作をリセットする必要があるからである。ランプ電流エラー信号２２０ｃとランプ電圧エラー信号２２０ｂを共に”Ｌ”としてから、ランプ電流検出部２２６及びランプ電圧検出部２２５にて、それぞれランプ電流、ランプ電圧の検出が開始される。ランプ電流検出の結果、ランプ電流が“０”（電流異常）であれば、ランプ電流エラー信号２２０ｃとして”Ｈ”信号がＰＩＯ２２３へ出力され、”Ｈ”信号が出力されたことがＣＰＵ２０７へ伝えられる。ＣＰＵ２０７では、この”Ｈ”信号が出力されたことは、ランプ電流が“０”であると判断されるので、Ｓ１１１でＹＥＳとなる。Ｓ１１１でＹＥＳとなると、モニタ２１６上に「ランプ電流／電圧異常発生」（「ランプ電流異常発生」でもよい。）のメッセージをモニタ２１６上に表示するべく、表示用コントローラ２０６へ制御信号を出力する（Ｓ１１３）。
【００７０】
一方、Ｓ１１１でランプ電流が正常値であっても、ランプ電圧が所定値以下（電圧異常）になると、ランプ電圧エラー信号２２０ｂとして”Ｈ”がＰＩＯ２２３へ出力される。そのランプ電圧エラー信号２２０ｂを受信すると、ＣＰＵ２０７は、モニタ２１６上に「ランプ電流／電圧異常発生」（「ランプ電圧異常発生」でもよい。）のメッセージをモニタ２１６上に表示するべく、表示用コントローラ２０６へ制御信号を出力する（Ｓ１１３）。
【００７１】
Ｓ１１３にて「ランプ電流／電圧異常発生」のエラーメッセージが表示された場合、検査を続行するためには、ユーザは直ちに電源を切り、ランプを交換する必要がある。もし、電源を切る前に、モニタ２１６上から前記エラーメッセージを消去する場合には、キーボード２１５の所定のキー（例えば「Ｅｓｃ」キー）を押下することにより前記メッセージは消去される。従って、ＣＰＵ２０７では、メッセージ消去のための所定のキーの押し下げがあったか否かを判断し（Ｓ１１４）、所定のキーが押下されず、電源も切られることがなければ、Ｓ１１４でＮＯとなり、モニタ２１６上に前記エラーメッセージが表示されたままとなる。所定のキーが押下されたときは、ときは、Ｓ１１４でＹＥＳとなり、モニタ２１６上の前記エラーメッセージが消去される。
【００７２】
また、ランプ電流検出結果が正常値であり、ランプ電圧検出結果も所定値以上の場合、すなわちランプ２２７に何の異常もなかった場合、ＰＩＯ２２３に対して、ランプ電流エラー信号２２０ｃ及びランプ電圧エラー信号２２０ｂは共に”Ｌ”信号の出力となる。がされるし、サイドランプ電流／電圧の検出を行なう（Ｓ２０２へフィードバック）。従って、ランプ２７に異常が発生しなければ、常時継続的にランプ電流／電圧検出を行い続けることになる。
【００７３】
次に第三の実施の形態について説明する。
【００７４】
図１６ないし図１８は本発明の第３の実施形態を説明するための図である。図１６は、２つのランプを備えた内視鏡装置本体の構成を説明するためのブロック図である。図１７は、第１ランプを照明用ランプとして使用している状態を説明するための図である。図１８は、第２ランプを照明用ランプとして使用している状態を説明するための図である。
【００７５】
図１６に示すように本実施形態の内視鏡装置本体２Ｂの光源部２３ｂには照明光を供給するためのランプが２つ設けられており、一方のランプを使用して観察しているとき、そのランプが途中で使用不能になった場合でも、ランプを切り替えて観察を継続して行えるようにしている。
【００７６】
前記内視鏡装置本体２Ｂの光源部２３ｂは、２つのランプ６１ａ，６１ｂと、ランプホルダ６２と、レバー６３と、それぞれのランプ６１ａ，６１ｂ近傍に配置される条件検出手段である第一ランプ位置検出部６４ａ及び第二ランプ位置検出部６４ｂと、ランプ用電源部２４ａとにより構成されている。ランプホルダ６２は、ランプ６１ａ及び６１ｂが、内視鏡装置本体内において、所定方向に移動可能にするよう形成されたランプ保持部材である。レバー６３は、ランプホルダ６２に一端部が固設され、他端部の把持部６３ａを正面パネル２ｄ側に配置して、この把持部６３ａをスライド移動させることによって前記ランプ６１ａ又はランプ６１ｂを照明光路中に配置させる移動操作部材である。第一ランプ位置検出部６４ａは、前記ランプ６１ａが照明光路中の所定位置に配置されているとき検知信号を前記ＣＰＵ３１に出力するランプ位置検出手段である。第２ランプ位置検出部６４ｂは、前記ランプ６１ｂが照明光路中の所定位置に配置されているとき検知信号を前記ＣＰＵ３１に出力するランプ位置検出手段である。ランプ用電源部２４ａは、ランプ位置検出部６４ａ，６４ｂから出力された検知信号を受けたＣＰＵ３１からの制御信号に基づいて前記ランプ６１ａ又はランプ６１ｂへ選択的に電源を供給する。
【００７７】
なお、前記第１ランプ位置検出部６４ａ及び第２ランプ位置検出部６４ｂは、前記温度検出動作部２７、電源検出動作部５１と同様に切替えスイッチ（図示せず）を動作させてＣＰＵ３１に検知信号を出力する。
【００７８】
前記第１ランプ位置検出部６４ａ及び第２ランプ位置検出部６４ｂからの検知信号が入力されるＣＰＵ３１は、前記第１ランプ位置検出部６４ａからの検知信号を受けたときにはランプ用電源部２４ａにランプ６１ａに電源を供給する制御信号を出力し、前記第２ランプ位置検出部６４ｂからの検知信号を受けたときにはランプ用電源部２４ａにランプ６１ｂに電源を供給する制御信号を出力する。そして、前記第１ランプ位置検出部６４ａ及び第２ランプ位置検出部６４ｂのどちらからの検知信号も受けていないときには、すなわち、ランプ６１ａ、６１ｂのどちらも照明光光路中の所定位置に配置されていない場合、術者へどちらのランプも所定位置に配置されていないことを告知する表示を出力させるように前記警報告知部３３に告知を促す制御信号をを出力するようになっている。
【００７９】
上述したように、ランプとランプ位置検出部の論理動作は以下のようになっている。
【００８０】
第１ランプ位置検出部６４ａが検知状態で、第２ランプ位置検出部６４ｂが非検知状態のとき、ランプ６１ａが点灯する。これに対して、第１ランプ位置検出部６４ａが非検知状態で、第２ランプ位置検出部６４ｂが検知状態のとき、ランプ６１ｂが点灯する。そして、第１ランプ位置検出部６４ａ及び第２ランプ位置検出部６４ｂが共に非検知状態のとき、ランプ６１ａ，６１ｂは非点灯状態である。このとき、どちらのランプも所定位置に配置されていないのでＣＰＵ３１から警報告知部３３に異常を告知させる制御信号が出力される。
【００８１】
なお、第１ランプ位置検出部６４ａ及び第２ランプ位置検出部６４ｂが共に検知状態のとき、この場合もＣＰＵ３１から警報告知部３３に異常を告知する制御信号が出力される。
【００８２】
したがって、図１６及び図１７に示すように前記ランプ６１ａを照明光路中の所定位置に配置して点灯させるとき、他方のランプ６１ｂは照明光光路から外れた位置で待機状態になる。このとき、内視鏡装置本体２Ｂの正面パネル２ｄ下部に設けられているレバー移動溝６６に配置されているレバー６３の把持部６３ａが、図中、レバー移動溝６６の左端に位置している。このように、レバー６３の操作により、内視鏡装置が有する複数のランプの中から、ランプが選択され、かつ、選択されたランプを照明光路中に配置すると共に、選択されない他のランプを照明行路外の待機位置に配置するよう、前記ランプホルダが移動される。
【００８３】
そして、前記ランプ６１ｂを照明光路中に配置して点灯させる場合には、図１８に示すように前記レバー６３の把持部６３ａを、図中、レバー移動溝６６の右端に移動させる。このとき、前記第１ランプ位置検出部６４ａが非検知状態になって、前記第２ランプ位置検出部６４ｂが検知状態になると、前記ランプ６１ｂが点灯する。
【００８４】
その他の構成は上述した第一及び第二の実施形態と同様であり、同部材には同符合を付して説明を省略する。
【００８５】
上述のように構成した内視鏡装置本体２Ｂの作用を説明する。
【００８６】
まず、一方のランプ、例えばランプ６１ａを照明光路中に配置するため、図１７に示すように正面パネル２ｄに配置されたレバー６３の把持部６３ａをレバー移動溝６６の左端に位置させる。このとき、第１ランプ位置検出部６４ａが検知状態になる一方、第２ランプ位置検出部６４ｂが未検知状態であることによって、ＣＰＵ３１はランプ用電源部２４ａにランプ６１ａだけに電源を供給する制御を行う。このことによって、ランプ６１ａが点灯して、このランプ６１ａからの出射光が、集光レンズ２５、ライトガイド２１等を伝送されて先端構成部１４から前方に向かって照明光として照射される。
【００８７】
内視鏡による検査中に、前記ランプ６１ａが寿命等によって切れてしまうことがある。この場合、図１８に示すように正面パネル２ｄに配置されているレバー６３の把持部６３ａをレバー移動溝６６の右方向に移動させるように操作する。すると、ランプホルダ６２が同方向にスライド移動してランプ６１ａが照明光路中から外れ、待機中であったランプ６１ｂが照明光路中に移動してくる。
【００８８】
このとき、前記第１ランプ位置検出部６４ａが未検知状態になって、前記第２ランプ位置検出部６４ｂが検知状態になることで、ＣＰＵ３１から制御信号がランプ用電源部２４ａに出力されて、このランプ用電源部２４ａからランプ６１ａへ電源を供給させる代わりにランプ６１ｂへ電源を供給させる。このことによって、ランプ６１ｂを点灯させて引き続き内視鏡による観察を行える。
【００８９】
なお、前記レバー６３の把持部６３ａをスライド移動させている途中で、この切り換え操作を中断すると、前記ランプ６１ａ，６１ｂのどちらも照明光光路中に配置されていない状態、つまり、第１ランプ位置検出部６４ａ及び第２ランプ位置検出部６４ｂが非検知状態になるので、ＣＰＵ３１から警報告知部３３に異常を告知する制御信号が出力されるとともに、ランプ用電源部２４ａからランプ６１ａ，６１ｂへの電源の供給が停止される。このとき、前記図７に示すように内視鏡観察画像上にランプ位置が異常であることによってランプが消灯していることを術者等に知らせる所定のメッセージがメッセージ表示部４１に表示されるとともにブザー音が発報される。その場合は、警報告知部３３に発音制御手段が設けられる。
【００９０】
なお、第１ランプ位置検出部６４ａ及び第２ランプ位置検出部６４ｂが未検知状態になるのは切替え途中に、起こる状態である。このため、切替え途中において、告知メッセージが表示されたり、ブザーが発報されることを防止するため、前記第１ランプ位置検出部６４ａ及び第２ランプ位置検出部６４ｂが非検知状態になってから所定時間が経過した後、ＣＰＵ３１から警報告知部３３に制御信号を出力するようにしている。この所定時間とは、術者又は関係者がランプ切り換えの操作に十分な時間である。この所定時間内においては第１ランプ位置検出部６４ａ及び第２ランプ位置検出部６４ｂが未検知状態であってもランプ位置が異常であることによってランプが消灯していることを術者等に知らせるメッセージがメッセージ表示部４１に表示されない。
【００９１】
このように、内視鏡による検査中におけるランプ切れに備えてランプを複数設け、使用者によってランプの配置位置を切り替えられる構成にする場合、ランプが照明光路中の所定位置に配置されているか否かを検出するランプ位置検出部を設けるとともに、ランプ位置が異常であることを術者に告知する警報告知部を設けている。これにより、万一ランプ位置が所定位置に配置されていないことによりランプが消灯した場合、その原因を術者に速やかに告知することができる。
【００９２】
このことにより、告知を受けた術者は、レバー位置の調整を行うなどの対処を行って、速やかに検査の続行が可能になる。
【００９３】
次に、第三の実施の形態に係わる内視鏡システムの光源部について、さらに詳細に説明する。図１９は、第三の実施の形態に係わる内視鏡システムの光源部の具体的な構成を示す図である。その他の構成は前記第１及び第二の実施の形態と同様であり、図８、図９等に示された要素と同じ要素には同符合を付して説明を省略する。
【００９４】
ランプ位置異常が発生した場合の対策について、図１９により説明する。図１９は、図８中の光源部２１０の具体的な構成を示す図である。尚、第一及び第二実施例と同一の構成は同一の符号をを付し、詳細な説明は省略する。
【００９５】
第２の実施の形態にて述べたように、ランプはフィラメントの溶断等により使用できなくなってしまう可能性がある。そこで、その対策として、システム内に予めランプを２つ具備させ（Ａランプ、Ｂランプ）、一方が使用不可能になっても直ちに他方のランプに交換することが可能な機構を設けておくことが有効である。
【００９６】
そこで、Ａランプ２２７ａ、Ｂランプ２２７ｂの２つを設ける。２つのランプの個々の点灯制御方法は、第１実施の形態のランプ制御方法と同様である。すなわち、ＣＰＵ２０７から点灯制御信号を出力することで、ＳＰＣ２１８とランプ用電源部２２８を介してＡランプ２２７ａ及びＢランプ２２７ｂの点灯／消灯が制御させる。但し、ランプ２２７ａ又は２２７ｂを点灯させる際の条件は、定められた光路２３６上にランプ２２７ａ又は２２７ｂが位置していること、とする。図２０及び図２１にて、この条件に基づいたランプ点灯制御について説明する。図２０は、Ｂランプ２２７ｂが光路２３６上に位置する場合を説明するための図である。図２１は、Ａランプ２２７ａが光路２３６上に位置する場合を説明するための図である。
【００９７】
２つうちの一方のランプが使用不能になった場合に、速やかにかつ容易にランプの交換を行えることが望ましい。そこで、まずＡランプ２２７ａ及びＢランプ２２７ｂは、ランプホルダ２３３に固定される。ランプ２２７とランプホルダ２３３とは、容易に脱着可能な機構を備えている（図示せず）。ランプホルダ２３３はスライドレール２３４上に装着され、スライドレール２３４上をレール方向にのみ滑らかに移動できる。ランプホルダ２３３にはランプレバー２３５が装備されており、ランプレバー２３５をユーザが把持して左右に移動させることにより、ランプホルダ２３３もスライドレール２３４上を左右に移動する。この移動に同期してランプホルダ２３３に固定されたＡランプ２２７ａ及びＢランプ２２７ｂもスライドレール２３４上を左右に移動する。
【００９８】
一方、本システムにおける光路２３６とは、集光レンズ２１７の中心と光路穴２３７とを結ぶ線を指す。光路２３６とスライドレール２３４とは直交している。Ａランプ２２７ａもしくはＢランプ２２７ｂの中心が光路２３６上に位置したとき、ライトガイド２０３へ射出されるランプ光の光量は最大となる。明瞭な内視鏡画像を得るためには、観察時にランプ光の光量が最大となっていることが望ましく、従って、観察時にはランプ２２７を光路２３６上に位置させることが必要である。逆に、ランプ２２７が光路２３６から外れている場合は、最適な観察条件ではないため、ランプ２２７は点灯禁止となることが望ましい。よって、光路２３６上にＡランプ２２７ａもしくはＢランプ２２７ｂが位置する時のみ、そのランプが点灯するものとする。これにより、本システムはユーザに対し常に最適な内視鏡画像を提供できる。
【００９９】
ランプが光路２３６上に位置しているか否かをＣＰＵ２０７が検知する手段として、ランプ位置検出端子とランプホルダ端子とが対になって設けられている。ランプホルダ端子２２９ａとランプホルダ端子２２９ｂは、ランプホルダ２３３に固定されている。よって、ユーザがランプレバー２３５を把持してランプホルダ２３３を移動させると、ランプホルダ端子２２９も移動する。一方、Ａランプの位置検出端子２１１ａは、図２１に示すようにＡランプ２２７ａが光路２３６上に位置したときのみランプホルダ端子２２９ａに接触する。Ｂランプ位置検出端子２１１ｂは、Ｂランプ２２７ｂが光路２３６上に位置したときのみランプホルダ端子２２９ｂに接触するように、内視鏡装置本体の内部に固定されている。従って、対をなしているランプ位置検出端子２１１とランプホルダ端子２２９とが接触している状態が、そのランプの点灯可能な状態である。但し、ランプホルダ２３３は可動域が限定されており、ランプホルダ端子２２９ａとＢランプ位置検出端子２１１ｂ、もしくはランプホルダ端子２２９ｂとＡランプ位置検出端子２１１ａとが接触することはない。Ａランプ位置検出部２３２ａは、Ａランプ位置検出端子２１１ａとランプホルダ端子２２９ａとが非接触状態の時、ＰＩＯ２２３に対してＡランプ位置エラー信号２２０ｄを出力する。Ｂランプ位置検出部２３２ｂは、Ｂランプ位置検出端子２１１ｂとランプホルダ端子２２９ｂとが非接触状態の時、ＰＩＯ２２３に対してＢランプ位置エラー信号２２０ｅを出力する。ＰＩＯ２２３は、ランプ位置エラー信号２２０をＣＰＵ２０７へ出力し、ＣＰＵ２０７はランプ位置がエラーとなっていないランプを選択し、その選択したランプに対してのみ点灯を行なうよう指示する。
【０１００】
ランプ位置と点灯指示との具体的な関係は以下の表の通りである。
【表１】
2006198426.tif 000003
【０１０１】
i）の場合は光路２３６上に位置するＡランプ２２７ａが点灯し、ii）の場合は光路２３６上に位置するＢランプ２２７ｂが点灯する。iii）の場合は２つのランプがいずれも光路２３６外にあるため、双方とも消灯にしたままとなる。iii）はランプ位置異常の状態であり、このとき内視鏡２０１の先端から出射されるランプ光の光量は観察上不十分なものである。そこで、ＣＰＵ２０７は表示コントローラ２０６を介して、モニタ２１６上にランプ位置異常発生の警告メッセージを表示する。異常発生をモニタ２１６より視覚的に訴えることにより、ユーザはシステムの異常を速やかに察知し、ランプ適正な位置に移動する等の処理を行うことができる。
【０１０２】
但し、ランプ電流／電圧異常発生時の警告手段としては、モニタ２１６上にメッセージを表示するだけでなく、操作パネル等に警告用のＬＥＤを設けて視覚的に警告を行ってもよく、ブザーによる聴覚的な警告手段を用いてもよく、またこれらの組み合わせでもよい。
【０１０３】
図２２はランプ位置異常発生時のＣＰＵの処理のフローチャートである。
【０１０４】
電源投入後、Ａランプ位置検出部２３２ａからＰＩＯ２２３へ、Ａランプ位置エラー信号２２０ｄとして”Ｈ”を出力し、更に、Ｂランプ位置検出部２３２ｂからＰＩＯ２２３へ、Ｂランプ位置エラー信号２２０ｅとして”Ｈ”を出力する（２つの信号は共に正論理）。これにより、ＣＰＵ２０７はランプ用電源部２２８に対して２つのランプの消灯指示が行なわれる。すなわち、電源投入直後はＡ、Ｂ２つのランプは位置異常状態とみなされ、起動直後は２つのランプが常に消灯状態となる。
【０１０５】
次に、Ｂランプ位置検出部２３２ｂは、Ｂランプの位置検出を行ない、Ｂランプが光路２３６上にある場合、Ｂランプ位置検出端子２１１ｂからランプＢ位置検出部２３２ｂに対して”Ｈ”が出力される。このとき、Ｂランプ位置検出部３２ｂよりＰＩＯ２３へ、Ｂランプ位置エラー信号２２０ｅとして”Ｌ”信号が出力される。このときＡランプが光路２３６上に位置することはあり得ないため、必然的にＡランプ位置検出部２３２ａよりＰＩＯ２２３へ、Ａランプ位置エラー信号２２０ｄとして”Ｈ”信号が出力される。
【０１０６】
ＣＰＵ２０７は、上述した表データとＰＩＯ２２３からのこれら情報に基づいて、Ｂランプが適正位置にあるか否かの判定を行う。上述した場合、ＣＰＵ２０７は、Ｂランプは、適正位置にあると判定され、Ｓ１２１でＹＥＳとなる。そして、ＣＰＵ２０７は、ＳＰＣ２１８に対してランプの点灯を指示したシリアル信号を出力する（Ｓ１２５）。ＳＰＣ２１８ではこのシリアル信号をパラレル信号に変換し、ランプ用電源部２２８に対してＢランプ点灯指示信号が出力される。これにより、Ｂランプが点灯する。
【０１０７】
一方、Ｓ１２１にてＢランプが光路２３６上にない場合、Ｂランプ位置検出端子２１１ｂからＢランプ位置検出部２３２ｂに対して”Ｌ”信号が出力される。このとき、Ｂランプ位置検出部２３２ｂよりＰＩＯ２２３へ、Ｂランプ位置エラー信号２２０ｅとして”Ｈ”信号が出力される。
【０１０８】
さらにＡランプが光路２３６上にある場合、Ａランプ位置検出端子２１１ａからランプ位置検出部２３２ａに対して”Ｈ”が出力される。そして、Ａランプ位置検出部２３２よりＰＩＯ２２３へ、Ａランプ位置エラー信号２２０ｄとして”Ｌ”が出力される。
【０１０９】
ＣＰＵ２０７は、上述した表データとＰＩＯ２２３からのこれら情報に基づいて、Ａランプが適正位置にあるか否かの判定を行う。上述した場合、ＣＰＵ２０７は、Ａランプは、適正位置にあると判定され、Ｓ１２２でＹＥＳとなる。そして、ＳＰＣ１８に対してＡランプの点灯を指示したシリアル信号を出力する（Ｓ１２３）。これにより、Ａランプが点灯する。
【０１１０】
また、Ｓ１２２にて、Ａランプが光路２３６上にない場合、Ａランプ位置検出端子２１１ａからＡランプ位置検出部２３２ａに対して”Ｌ”が出力される。このとき、Ａランプ位置検出部２３２ａよりＰＩＯ２２３へ、ランプ位置エラー信号２２０ｄとして”Ｈ”信号が出力される。この場合、Ａランプ、Ｂランプ共に光路２３６上から外れていることになる。ＰＩＯ２２３よりこれらの情報を受け取ったＣＰＵ２０７は、ＳＰＣ２１８に対してＡランプ、Ｂランプ共に消灯を指示したシリアル信号を出力する（Ｓ１２４）。ＳＰＣ２１８ではこのシリアル信号をパラレル信号に変換して、ランプ用電源部２２８に対してＡランプ、Ｂランプ共に消灯指示を出力するため、２つのランプは共に点灯しない。そして、ＣＰＵ２０７は表示コントローラ２０６を介して、「ランプ位置異常発生」の警告メッセージをモニタ２１６に表示する（Ｓ１２６）。
【０１１１】
Ａランプ点灯、Ｂランプ点灯、もしくはランプ位置異常発生メッセージ表示の処理を行った後、再びランプ位置検出を行なう（Ｓ１２１へ戻る）。従って、常時継続的にランプ位置の検出を行い続けることになる。
【０１１２】
ところで、電子内視鏡装置においては患者回路と２次回路との信号の授受にアイソレーション回路が必要である。そして、電子内視鏡装置にデジタル信号プロセッサ（ＤＳＰ）を使用したものでは主にアプリケーション回路が決まっており、このアプリケーション回路の途中で分割する場合、送受信する信号が多く発生するので、絶縁回路がそれに伴って大きくなるという不都合があった。このため、この絶縁回路の縮小化が望まれていた。このため、以上説明してきた実施形態においては、図２３に示すように、２次回路との映像信号の送信をＹ／Ｃ信号にて、アイソレーション回路を通じて送信するようにしている。図２３は、電子内視鏡装置の概略構成を説明するためのブロック図である。
【０１１３】
つまり、図２３に示すように電子内視鏡装置は、内視鏡１と、プロセッサ部３０と、内視鏡装置本体２等で主に構成されている。プロセッサ部３０は、内視鏡１に内蔵されているＣＣＤ１９から伝送される撮像信号を映像信号に変換する処理、観察画像や各種データを図示しないモニタなどへの表示処理等を行なう。内視鏡装置本体２は、内視鏡１に照明光を供給するためのランプを内蔵した光源部２３とを例えば一体にして形成されている。
【０１１４】
前記内視鏡１の操作部１２には前記プロセッサ部３０が映像信号に対してホワイトバランス調整を施す際の調整値を与えるホワイトバランス調整スイッチ（以下ＷＢスイッチと略記する）１２ａが設けられている。
【０１１５】
内視鏡装置本体２内の患者回路であるプロセッサ部３０には基準クロックを発生する水晶発信器（ＣＸＯとも記載する）８１が設けられており、このＣＸＯ８１より発生される基準クロック信号（以下基準ＣＫ信号と略記する）が患者回路内のタイミングジェネレータ（ＴＧとも記載する）８２やモニタ表示可能な映像信号を得る機能を有する映像信号処理用ＤＳＰ８０内に供給されるようになっている。
【０１１６】
前記タイミングジェネレータ８２は、基準ＣＫ信号を基にＣＣＤ駆動信号を発生させ、そのタイミングでＣＣＤドライバ８３を介してＣＣＤ１９を駆動させる。そして、このタイミングにて駆動されたＣＣＤ１９は、被写体に応じた出力信号を発生する。なお、前記ＣＣＤ１９には例えばフィルタとしてシアン（Ｃｙ）、黄色（Ｙｅ）、マゼンタ（Ｍｇ）、緑色（Ｇ）の補色フィルターが設けられている。
【０１１７】
前記ＣＣＤ１９の受光面に結像して蓄積された電荷は、前記ＣＣＤドライバ８３から出力される駆動信号にしたがって２線同時読み出しによるインターレース読み出しされ、信号ケーブル２０を介してプロセッサ部３０に伝送される。
【０１１８】
伝送された撮像信号は、まずプリアンプ８４で信号ケーブル２０の伝送により発生した損失分を補うため所定のゲインで増幅され、ＣＤＳ（相関二重サンプリング）回路８５にて撮像信号から映像信号成分を抽出する処理を行い、ＡＧＣ（オートゲインコントロール）回路８６に出力される。
【０１１９】
ＡＧＣ回路８６に入力された映像信号は、ゲイン調整を行って映像信号のレベルを調整した後、Ａ／Ｄ変換部８７に出力され、映像信号をアナログ信号からデジタル信号に変換して映像信号処理用ＤＳＰ８０の色分離回路８８に出力される。
【０１２０】
この色分離回路８８では、入力された映像信号を輝度信号Ｙと色差信号Ｒ−Ｙ，色差信号Ｂ−Ｙとに変換する。この色分離回路８８で分離後の色差信号は、Ｒ−Ｙ、Ｂ−Ｙの線順次の状態になる。つまり、ライン毎にＲ−Ｙ、Ｂ−Ｙ信号が交互に出力する線順次化された色差信号であり、この線順次化色差信号は同時化回路８９に出力される。
【０１２１】
この同時化回路８９に入力された色差信号は、前記タイミングジェネレータ８２から送られる基準ＣＫ信号に従い、ライン毎に出力先を切り換えることによりＲ−Ｙ、Ｂ−Ｙ信号の同時化を行い、同時化色差信号としてＷＢ（ホワイトバランス）回路９０に出力される。
【０１２２】
このＷＢ回路９０では入力された同時化色差信号のホワイトバランスのレベル調整を行う。このＷＢ回路９０では、白い被写体を撮像した状態で前記ＷＢスイッチ１２ａを押すことにより、Ｒ−Ｙ、Ｂ−Ｙが等しくなるようにそれぞれのゲイン調整が行われる。そして、レベル調整の行われた色差信号がＤ／Ａ変換部９１に出力される。
【０１２３】
一方、前記色分離回路８８で色分離された後の輝度信号は、輪郭強調部９２を経由して前記Ｄ／Ａ変換部９１に出力される。
【０１２４】
前記Ｄ／Ａ変換部９１に入力された輝度信号及びＲ−Ｙ、Ｂ−Ｙの線順次色差信号は、デジタル信号からアナログ信号に変換される。そして、デジタル化されたＲ−Ｙ、Ｂ−Ｙの線順次色差信号はエンコーダ９３に出力され、デジタル化された輝度信号はアイソレーション回路９４に出力される。
【０１２５】
前記エンコーダ９３ではＲ−Ｙ、Ｂ−Ｙの線順次色差信号を直交変調して色信号（Ｃ信号）として高周波のアナログ信号を伝送可能なアイソレーション回路９４に出力する。
【０１２６】
このことにより、アイソレーション回路９４ではアナログ状態の輝度信号Ｙ及び色信号Ｃの形態になっている。このため、アナログ化された輝度信号Ｙ及び色信号Ｃがこのアイソレーション回路９４から２次回路に伝送される。
【０１２７】
２次回路へ伝送された輝度信号及び色信号は、７５Ωドライバ９５とミキサー部９６にそれぞれ入力される。このミキサー部９６では輝度信号と色信号とを合成してＶＢＳ（コンポジット映像信号）を生成する。このミキサー部９６には７５Ωドライバを内蔵されているため、ＶＢＳはそのままモニタ出力になる。
【０１２８】
この後、外部機器に接続されるコネクタ（図示せず）へ導かれ、ＶＢＳ信号とＹ／Ｃ分離映像信号とが内視鏡装置本体２から出力される。
【０１２９】
このように、患者回路内で色差信号の変調を行い、Ｒ−Ｙ、Ｂ−Ｙの線順次色差信号をＣ信号に変換して、アイソレーション回路からアナログ化した輝度信号及び色信号を、２次回路へ伝送させることによって、伝送路の削減を行うことができる。その他の構成は上述した他の実施の形態と同様であり、同部材には同符合を付して説明を省略する。
【０１３０】
ところで、電子内視鏡装置においてはモニタの画面上に内視鏡画像のみならず患者データ等も表示されるようになっている。そして、この患者データをキーボード等の入力装置を介して入力する際にはこのモニタが用いられる。このため、電子内視鏡装置のモニタには見易さが要求されるともに、キーボードと合わせた操作性や使い勝手の良さが望まれていた。
【０１３１】
図２４は、電子内視鏡装置の構成を説明するための図である。図２４に示すように電子内視鏡装置１００は、電子内視鏡１０１と、プロセッサ１０２と、このプロセッサ１０２に接続されて内視鏡画像等を表示するモニタ１０３と、前記プロセッサ１０２に接続され各種データ入力やシステム制御等を行なうキーボード１０４と、内視鏡画像データ等を記録する各種記録機器１０５とで構成されている。プロセッサ１０２は、この電子内視鏡１０１の先端部に内蔵された図示しないＣＣＤの制御を行うと共に、このＣＣＤで撮像された被検体の内視鏡画像を所定の映像信号に処理する回路等を備えている。
【０１３２】
前記プロセッサ１０２には少なくとも、前記電子内視鏡１０１より得られた映像信号に対するアナログ・デジタル変換や色補正、輪郭強調、ホワイトバランス処理等を行なう映像信号処理部１１１、ＣＰＵ（中央処理ユニット）１１２、メモリ１１３、図示しないアドレスバス及びデータバス（図示せず）、メモリアドレスコーダ、Ｉ／Ｏアドレスデコーダ等のデコーダ１１４、各種入出力ポートとして前記電子内視鏡１０１に接続されるスコープコネクタ１１５、前記モニタ１０３に接続される映像信号出力コネクタ１１６、前記キーボード１０４に接続されるキーボードコネクタ１１７、前記記録機器に接続されるリモートコネクタ１１８、文字描画を行なう表示コントローラ１１９等を備えている。さらに、例えばプロセッサ１０２のフロントパネル等には外部入力手段としての操作パネル１２０が設けられている。なお、符号１２１はキーボードコントローラー（ＫＢＣ）であり、符号１２２はパラレル入出力回路（ＰＩＯ）である。
【０１３３】
図２５は、モニタ画面に表示される画面の一例を示す図である。図２５に示すように、前記モニタ１０３の画面上には電子内視鏡装置に患者データを事前登録するための画面、いわゆる登録画面１２３が表示される。また、図２６は、モニタ画面に表示される画面の他の例を示す図である。図２６に示すように、モニタ１０３の画面上には前記登録画面１２３によって登録された患者データ等を呼び出す、いわゆる呼出画面１２４が表示される。
【０１３４】
これらの画面１２３、１２４はともに、所定の操作を行うことによりモニタ１０３の画面上に表示されるようになっている。
【０１３５】
つまり、前記登録画面１２３は、前記キーボード１０４に設けられている所定のファンクションキーである図示しない「登録キー」を選択することによりモニタ１０３の画面上に表示される。なお、このキーボード１０４を介してこのプロセッサ１０２のメモリ１１３に登録可能な人数は予め定められており、規定数より多くの患者データを登録することはできないようになっている。
【０１３６】
前記「登録キー」を押下すると、前記メモリ１１３に既に登録されている患者データがある場合に図２５に示すようにその患者名が表示される（患者名は、図２５の１から３に記号で示してある。）。そして、前記メモリ１１３に登録されている患者データ数が、登録可能な最大データ数に満たない場合には未登録分であることを示す“No Data”の文字が画面上に表示される。この登録画面１２３で、「No Data」を選択すると、患者データの事前登録を指示にしたがって行なうことが可能になる。
【０１３７】
一方、前記呼出画面１２４は、キーボード１０４に設けられている所定のファンクションキーである図示しない「呼出キー」を選択することによりモニタ１０３の画面上に表示される。この「呼出キー」を押下すると、前記登録画面１２３にて事前に登録された患者名の一覧が表示される。そして、この患者名一覧の中から任意の患者名を選択すると、患者名に対応して登録されている患者データである例えば、名前、ＩＤナンバー、生年月日等がモニタ１０３の内視鏡画面上に表示される（図示せず）。
【０１３８】
また、本実施形態の内視鏡装置１００では前記登録画面１２３を表示中に、キーボード１０４に設けられている所定のファンクションキーである「切替キー」を押下すると、直ちに呼出画面１２４に移行するようになっている。すなわち、登録画面１２３にて患者データを事前入力した直後にそのデータを呼び出したい場合には、登録画面１２３を一度終了させて「呼出キー」を押下するという煩雑な操作を行うことなく、「切替キー」を押下するだけで呼出画面１２４に移行する。なお、同様に、前記呼出画面１２４を表示中に、キーボード１０４に設けられている所定のファンクションキーである「切替キー」を押下することにより、直ちに登録画面１２３に移行する。
【０１３９】
このように、「切替キー」を設けることにより、キーボード操作を簡略化して操作性を大幅に向上させることができる。
【０１４０】
なお、上述した実施形態においては「切替キー」を、キーボードに設けたファンクションキーとしているが、この「切替キー」はファンクションキーに限定されるものではなく、他のオペレーションに使用しない任意のキー、例えば「カーソル」キーや「Ｔａｂ」キー等であってもよく、複数のキーを組み合わせて、例えば「Ｃｔｒｌ」キー＋「Ｆ１」キー等で呼び出すようにしてもよい。
【０１４１】
また、「切替キー」を押下した際に移行可能な画面は、前記登録画面１２３と前記呼出画面１２４とに限ったものではなく、図示しないシステム設定画面など他の画面に切り替えられる構成であってもよい。
【０１４２】
図２７は、電子内視鏡装置の他の構成を説明するための図である。図２７に示すように内視鏡画像データを記録するためにプロセッサ１０２に接続される記録機器１０５を例えばプリンタ１０６にする場合、このプリンタ１０６にプリントアウト時、印画用紙上に任意のキャプションとして例えば病院名、コメント等、ユーザーが任意に入力したり、指定した文字を印刷する機能を持たせている。そして、このキャプションの入力を、プリンタ１０６本体にて行なう以外に、前記プロセッサ１０２からのリモートコントロールにより入力を行なうことを可能にしている。その他の構成は上述した他の実施の形態と同様であり、同部材には同符合を付して説明を省略する。
【０１４３】
ここで、プロセッサ１０２からのリモートコントロールによるキャプション入力について説明する。図２８は、モニタ画面上に表示される画面の例を説明するための図である。
【０１４４】
例えば、術者がモニタ１０３の画面上に表示されている内視鏡画像を観察している最中にキャプション入力を行いたいと思ったとき、術者はキーボード１０４に設けられている所定のファンクションキーである「キャプションキー」を押下する。すると、図２８に示すように前記モニタ１０３の画面上に表示されていた内視鏡画像１２５にキャプション入力専用のウィンドウであるキャプション入力ウィンドウ１２６が表示されて、キャプション入力待機状態になる。
【０１４５】
ここで、術者は、任意のキャプションを前記キーボード１０４を介して入力する。このことにより、プリンタ１０６から印画用紙を出力させたときに前記キャプション入力ウィンドウ１２６に入力されたキャプションが内視鏡画像とともに所定位置に印刷される。
【０１４６】
このように、キャプションウィンドウ１２６を用いてキャプションを入力する場合、プロセッサ１０２に接続されているキーボード１０４を操作するだけでキャプション入力を行えるので、プリンタ本体からキャプションを入力する場合に比べ、操作が容易である。
【０１４７】
但し、「キャプションキー」はキーボード１０４に設けたファンクションキーに限定されるものではなく、他のオペレーションに使用しない任意のキー、例えば「カーソル」キーや「Ｔａｂ」キー等であってもよく、上述したように複数のキーを組み合わせるもの、例えば「Ｃｔｒｌ」キー＋「Ｆ２」キー等であってもよい。
【０１４８】
なお、電子内視鏡装置１００においては、キーボード１０４により患者データ等を入力する場合やキャプションを入力する場合、ＡＳＣＩＩ入力による英数字の入力、ローマ字入力によるカタカナの入力、カナ入力によるカタカナの入力等、異なる入力モードによる入力が可能になっている。
【０１４９】
これらの入力モードの切替は、キーボード１０４に設けた所定のファンクションキーである「入力モード切替キー」によって行なえる。
【０１５０】
具体的には、電源投入時におけるキーボード１０４の入力モードはＡＳＣＩＩ入力モードである。この状態で、前記「入力モード切替キー」を押下すると入力モードがローマ字入力モードに切り換わる。次に、この状態で「入力モード切替キー」を押下すると入力モードがカナ入力モードに切り換わる。さらにこの状態で、「入力モード切替キー」を押下すると入力モードは再びＡＳＣＩＩ入力モードに切り換わる。つまり、「入力モード切替キー」を押下する度に、入力モードがトグル式に、ＡＳＣＩＩ→ローマ字→カナ→ＡＳＣＩＩ→…の順に切り替わっていく。このことにより、ユーザーは入力モードの切替操作を容易に行える。
【０１５１】
そして、本実施形態においては現在の入力モードがＡＳＣＩＩ入力モードなのであるか、ローマ字入力モードであるか、カナ入力モードであるかをユーザーが明瞭に視認できるように、入力モード毎にカーソルの色を変えて表示させている。
【０１５２】
すなわち、例えばＡＳＣＩＩ入力モード時にはカーソルを白色で表示し、ローマ字入力モード時にはカーソルを緑色で表示し、カナ入力モード時にはカーソルを青色で表示するようにしている。このことにより、ユーザーは、入力モードの切替操作を行なった際、画面に表示されているカーソルの色を見て瞬時に入力モードの識別を行なえる。
【０１５３】
なお、入力モードを切り替える「切替キー」はキーボード１０４に設けたファンクションキーに限定されるものではなく、他のオペレーションに使用しない任意のキー、例えば「カーソル」キーや「Ｔａｂ」キー等でもよく、複数のキーを組み合わせたもの、例えば「Ｃｔｒｌ」キー＋「Ｆ３」キー等でもよい。また、入力モード毎に割り当てるカーソルの色は前述した色に限定されるものではなく、それぞれのモード毎に好みの色を割り当てるようにしてもよい。
【０１５４】
ところで、前記電子内視鏡１０１より得られた映像信号に対して映像信号処理部１１１で行なう種々の信号処理の１つに測光がある。この測光は、映像信号処理部１１１で、ＣＣＤの画素毎に映像信号の輝度を検知し、ＣＣＤの総画素領域のうち明るい部位と暗い部位とを判別し、その結果から行う。そして、前記総画素領域の大部分を内視鏡画像としてモニタ１０３の画面上に表示させる場合にはＣＣＤの総画素領域に対しての測光を行なえばよいが、総画素領域のうちの中央部分のみをモニタ１０３に表示させる構成の場合にはモニタ１０３に表示されてないＣＣＤ中央部周囲の測光結果も含めて測光すると適切な調光を行えない。
【０１５５】
そこで、プロセッサ１０２にて状況に応じた測光領域Ａの選択を行なえるように、総画素領域の大部分を内視鏡画像としてモニタ１０３の画面上に表示させる場合には図２９に示すように全面測光による測光を行う。図２９は、全面測光を説明するための図である。図２９において、斜線の部分、すなわち画面全体の領域Ａが測光領域となる。総画素領域のうち中央部分のみ内視鏡画像としてモニタ１０３の画面上に表示させる場合には図３０に示すように、中央重点測光にて測光を行なうようにする。図３０は、中央重点測光を説明するための図である。図３０において、画面の中心の矩形の領域Ａが測光領域となる。そして、この測光方式の切替を図３１に示すシステムセットアップ画面１２７で行なう。図３１は、これらの測光方式を切替をするための画面の例を示す図である。
【０１５６】
前記システムセットアップ画面１２７は、キーボード１０４に設けた図示しない所定のファンクションキーである「システムセットアップキー」を押下することにより表示される。このシステムセットアップ画面１２７には「Ｆｕｌｌ」１２８と「Ｃｅｎｔｅｒ」１２９との２つの測光モードがあり、「Ｆｕｌｌ」１２８を選択すると図２９に示した全面測光状態になり、「Ｃｅｎｔｅｒ」１２９を選択すると図３０に示した中央重点測光状態になる。
【０１５７】
従って、ユーザーは、システムセットアップ画面１２７を表示させることによって容易に測光方法を選択して最良の調光状態での観察を常に行うことができる。
【０１５８】
なお、本発明は、以上述べた実施形態のみに限定されるものではなく、発明の要旨を逸脱しない範囲で種々変形実施可能である。
【０１５９】
なお、以上説明した構成から、次の付記に示す構成に特徴がある。
【０１６０】
［付記項］
（１）被写体を照らす照明光を出射するランプと、このランプを点灯させるための電力を供給する電力供給手段とを具備する内視鏡装置において、
前記ランプ若しくはこのランプ近傍に配置され、ランプに関わる所定の条件を検出する条件検出手段と、
この条件検出手段の検出結果に基づき、前記ランプの状態を告知する告知手段とを具備することを特徴とする内視鏡装置。
【０１６１】
（２）前記条件検出手段は、前記ランプ又はランプ近傍の温度が所定の温度以上であるか否かを検出する温度検出手段であることを特徴とする付記項１記載の内視鏡装置。
【０１６２】
（３）前記条件検出手段は、前記電力供給手段からランプに供給される電流又は電圧が、所定の電流値又は所定の電圧値以下であるか否かを検出する電力検出手段であることを特徴とする付記項１記載の内視鏡装置。
【０１６３】
（４）さらに、前記内視鏡装置が有する複数のランプの中から、ランプを選択するする選択手段と、
前記選択手段が選択しているランプが適正位置にあるか否かを判定する判定手段と、
を有し、前記告知手段は、前記判定手段により前記選択手段で選択されたランプが適正位置にないと判定されたとき、該適正位置にないことを告知することを特徴とする付記項１記載の内視鏡装置。
【０１６４】
（５）さらに、前記複数のランプを保持するランプホルダを有し、
前記選択手段は、選択されたランプを照明光路中に配置すると共に、選択されない他のランプを照明行路外の待機位置に配置するよう、前記ランプホルダを移動する移動部材であり、
前記判定手段は、前記複数のランプのうちの少なくとも１つが所定の位置に配置されているか否かを検知する位置検知手段であることを特徴とする付記項４記載の内視鏡装置。
【０１６５】
（６）前記告知手段は、前記検出手段により検出されたランプに関わる所定の条件に対応する所定の視覚的情報を所定の表示手段に表示するよう、該表示手段の表示制御を行う表示制御手段であることを特徴とする付記項１記載の内視鏡装置。
【０１６６】
（７）前記告知手段は、前記検出手段により検出されたランプに関わる所定の条件に対応する所定の音を発生させる発音制御手段であることを特徴とする付記項１記載の内視鏡装置。
【０１６７】
（８）前記告知手段は、前記温度検出手段により所定の温度以上となったことが検出されたときに、ランプが所定の温度以上であることを示す所定の視覚的情報を所定の表示手段に表示するよう、該表示手段の表示制御を行う表示制御手段であるであることを特徴とする付記項２記載の内視鏡装置。
【０１６８】
（９）前記告知手段は、前記温度検出手段により所定の温度以上となったことが検出されたときに、ランプが所定の温度以上であることを示す所定の音を発生させる発音制御手段であることを特徴とする付記項２記載の内視鏡装置。
【０１６９】
（１０）前記告知手段は、前記電力検出手段により、ランプに供給される電流が所定の電流値以下、又はランプに供給される電圧が所定の電圧値以下であることが検出されたときに、ランプに供給される電流又は電圧が所定の電流値以下又は所定の電圧値以下であることを示す所定の視覚的情報を所定の表示手段に表示するよう、該表示手段の表示制御を行う表示制御手段であることを特徴とする付記項３記載の内視鏡装置。
【０１７０】
（１１）前記告知手段は、前記電力検出手段により、ランプに供給される電流が所定の電流値以下、又はランプに供給される電圧が所定の電圧値以下であることが検出されたときに、ランプに供給される電流又は電圧が所定の電流値以下又は所定の電圧値以下であることを示す所定の音を発生させる発生制御手段であることを特徴とする付記項３記載の内視鏡装置。
【図面の簡単な説明】
【０１７１】
【図１】電子内視鏡装置の構成を説明するための構成図である。
【図２】電子内視鏡の構成を示す説明するための図である。
【図３】第一の実施の形態に係る内視鏡装置本体内の構成を説明するためのブロック構成図である。
【図４】内視鏡装置本体内に設けたランプ近傍を冷却するランプと冷却流路との位置関係を説明するための図である。
【図５】温度検出動作部の切替えスイッチの動作を説明するための図である。
【図６】内視鏡観察画像の例を示す図である。
【図７】告知状態の内視鏡観察画像の例を示す図である。
【図８】内視鏡システム全体の構成を示すブロック図である。
【図９】図８中の光源部の具体的な構成を示す図である。
【図１０】ランプ温度異常発生時のＣＰＵの処理を示すフローチャートである。
【図１１】本発明の第二の実施の形態に係る内視鏡装置本体の構成を説明するためのブロック図である。
【図１２】ランプのタングステンが溶断した状態を説明するための図である。
【図１３】ランプのタングステンに溶着部が形成された状態を説明するための図である。
【図１４】第二の実施の形態に係わる内視鏡システムの光源部の具体的な構成を示す図である。
【図１５】ランプ電流／電圧異常発生時のＣＰＵの処理のフローチャートである。
【図１６】本発明の第三の実施の形態に係る内視鏡装置本体の構成を説明するためのブロック図である。
【図１７】第１ランプを照明用ランプとして使用している状態を説明するための図である。
【図１８】第２ランプを照明用ランプとして使用している状態を説明するための図である。
【図１９】第三の実施の形態に係わる内視鏡システムの光源部の具体的な構成を示す図である。
【図２０】Ｂランプが光路上に位置する場合を説明するための図である。
【図２１】Ａランプが光路上に位置する場合を説明するための図である。
【図２２】ランプ位置異常発生時のＣＰＵの処理のフローチャートである。
【図２３】電子内視鏡装置の概略構成を説明するためのブロック図である。
【図２４】電子内視鏡装置の構成を説明するための図である。
【図２５】モニタ画面に表示される画面の一例を示す図である。
【図２６】モニタ画面に表示される画面の他の例を示す図である。
【図２７】電子内視鏡装置の他の構成を説明するための図である。
【図２８】モニタ画面上に表示される画面の例を説明するための図である。
【図２９】全面測光を説明するための図である。
【図３０】中央重点測光を説明するための図である。
【図３１】これらの測光方式を切替をするための画面の例を示す図である。
【符号の説明】
【０１７２】
１、２０１・・・内視鏡
２、２Ａ・・・内視鏡装置本体  
２ａ・・・装置コネクタ
２ｂ・・・照明光用コネクタ
２ｃ・・・電気信号用コネクタ
３・・・キーボード
１１・・・挿入部
１２・・・操作部
１３・・・ユニバーサルコード
１４・・・先端構成部
１５・・・湾曲部
１６・・・可撓管部
１７・・・湾曲操作ノブ
１８・・・内視鏡コネクタ
１８ａ・・・照明コネクタ
１８ｂ・・・信号コネクタ
１９・・・ＣＣＤ
２０・・・信号ケーブル
２１・・・ライトガイド
２２、６１ａ、６１ｂ・・・ランプ
２３、２３ａ、２３ｂ・・・光源部
２６・・・冷却用ファン
２８・・・冷却流路
２８ａ・・・吸引口
２８ｂ・・・排気口
２７・・・温度検出動作部  
３０・・・プロセッサ部
３１・・・ＣＰＵ
３２・・・信号処理部
３３・・・警報告知部
６２・・・ランプホルダ
６３・・・レバー
２２４・・・ランプ温度検出部
２３１・・・スコープコネクタ
【図１】
2006198426.tif 000004
【図２】
2006198426.tif 000005
【図３】
2006198426.tif 000006
【図４】
2006198426.tif 000007
【図５】
2006198426.tif 000008
【図６】
2006198426.tif 000009
【図７】
2006198426.tif 000010
【図８】
2006198426.tif 000011
【図９】
2006198426.tif 000012
【図１０】
2006198426.tif 000013
【図１１】
2006198426.tif 000014
【図１２】
2006198426.tif 000015
【図１３】
2006198426.tif 000016
【図１４】
2006198426.tif 000017
【図１５】
2006198426.tif 000018
【図１６】
2006198426.tif 000019
【図１７】
2006198426.tif 000020
【図１８】
2006198426.tif 000021
【図１９】
2006198426.tif 000022
【図２０】
2006198426.tif 000023
【図２１】
2006198426.tif 000024
【図２２】
2006198426.tif 000025
【図２３】
2006198426.tif 000026
【図２４】
2006198426.tif 000027
【図２５】
2006198426.tif 000028
【図２６】
2006198426.tif 000029
【図２７】
2006198426.tif 000030
【図２８】
2006198426.tif 000031
【図２９】
2006198426.tif 000032
【図３０】
2006198426.tif 000033
【図３１】
2006198426.tif 000034